(57)【要約】      （修正有）【課題】３枚以上の刃を有する安全カミソリであって優れた剃り味が長持ちし、ほとんど剃り残しがなく取扱い易い安全カミソリを提供する。【解決手段】３枚以上の刃１〜４を有し、ガード部１０と天板２１を結ぶ共通接線から測定した刃先までの垂直距離Ａ〜Ｄを刃の露出値としたときに、隣合う２枚の刃でガード部１０に近い方の刃の露出値がその後方の刃の露出値よりも大であり、ガード部１０に近い方の刃よりも前方に少なくとも１枚の刃が存在し、ガード部１０に近い方の刃及びその刃よりも前方に存在するすべての刃を含めた一群の刃の露出値は、前方の刃よりもその後方の刃の露出値の方が大である。【選択図】図１
2005261544.tif 000002
【特許請求の範囲】
【請求項１】
３枚以上の刃を有し、ガード部と天板を結ぶ共通接線から測定した刃先までの垂直距離を刃の露出値としたときに、隣合う２枚の刃でガード部に近い方の刃の露出値がその後方の刃の露出値よりも大であり、前記ガード部に近い方の刃よりも前方に少なくとも１枚の刃が存在し、前記ガード部に近い方の刃及びその刃よりも前方に存在するすべての刃を含めた一群の刃の露出値は、前方の刃よりもその後方の刃の露出値の方が大であることを特徴とする安全カミソリ
【請求項２】
天板に最も近い刃以外の刃が前記一群の刃である請求項１記載の安全カミソリ
【請求項３】
ガード部に近い方から順に刃先が後退する第1、第２、第３及び第４の刃を有し、第１及び第４の刃の露出値は負の値であり、第３の刃の露出値は正の値であり、第２の刃の露出値は第１の刃の露出値よりも大で第３の刃の露出値よりも小である請求項１又は請求項２記載の安全カミソリ
【請求項４】
第２の刃の露出値は負の値である請求項３記載の安全カミソリ
【請求項５】
少なくとも第１の刃と第２の刃の露出値が負であるときに、負の値を有する刃の露出値は、第１の刃が最小で第２の刃が最大である請求項４記載の安全カミソリ
【請求項６】
各刃の露出値は、第１の刃が−０．０９ｍｍ、第２の刃が−０．０１ｍｍ、第３の刃が＋０．０３ｍｍであり、第４の刃が−０．０４ｍｍである請求項４又は請求項５記載の安全カミソリ
【請求項７】
ガード部と、天板と、これらのガード部と天板との間に配置されガード部に近い方から順に刃先が後退する第1、第２、第３及び第４の刃を有し、測定する刃先の前方及び後方に隣合う部材の各皮膚接触面を結ぶ共通接線から測定した刃先までの垂直距離を刃の個別条件における露出値である個別露出値としたときに、第１及び第４の刃の個別露出値は負の値であり、第３の刃の個別露出値は正の値であり、第２の刃の個別露出値は第１の刃の個別露出値よりも大で第３の刃の個別露出値よりも小であることを特徴とする安全カミソリ
【請求項８】
第２の刃の個別露出値はゼロである請求項７記載の安全カミソリ
【請求項９】
第１の刃の個別露出値は第４の刃の個別露出値よりも小である請求項７又は請求項８記載の安全カミソリ
【請求項１０】
各刃の個別露出値は、第１の刃が−０．０８ｍｍ、第２の刃がゼロ、第３の刃が＋０．０６ｍｍであり、第４の刃が−０．０５ｍｍである請求項８又は請求項９記載の安全カミソリ
【請求項１１】
ガード部と、天板と、これらのガード部と天板との間に配置されガード部に近い方から順に刃先が後退する少なくとも３枚の刃を有し、全部の刃の枚数が偶数であるときは天板寄りの半数の刃、又は全部の刃の枚数が奇数であるときは中央の刃よりも天板寄りの刃、の中のいずれか１枚が他のすべての刃よりも刃厚が小さく形成され、且つ前記他のすべての刃の刃厚はすべて等しいことを特徴とする安全カミソリ
【請求項１２】
刃厚が最も小さい刃の刃厚は０．０８ｍｍであり、他の刃の刃厚は０．１ｍｍである請求項１１記載の安全カミソリ
【請求項１３】
ガード部に近い方から順に刃先が後退する第1、第２、第３及び第４の刃を有し、第４の刃厚が他の刃厚よりも小さい請求項１１又は請求項１２記載の安全カミソリ
【請求項１４】
ガード部と、天板と、これらのガード部と天板との間に配置されガード部に近い方から順に刃先が後退する少なくとも３枚の刃を有し、各刃は重ねられていて各刃の間にスペーサーが配置され、天板に最も近い刃とその前方隣合わせの刃の間のスペーサーは櫛状に形成され、この櫛状スペーサーの櫛歯の先端が天板に最も近い刃の刃先よりも前方であって、その刃の前方隣合わせの刃の刃先よりも後方の位置まで突出していることを特徴とする安全カミソリ
【請求項１５】
前記櫛状スペーサーの櫛歯の先端部分の上面は、櫛歯の先端に行くに従って徐々に下降する傾斜面に形成されている請求項１４記載の安全カミソリ
【請求項１６】
前記櫛状スペーサーの少なくとも天板に最も近い刃の刃先から突出した部分の表面は抗菌剤を含む塗膜で覆われている請求項１４又は請求項１５記載の安全カミソリ
【請求項１７】
天板に最も近い刃とその前方隣合わせの刃の刃先間スパンは他の刃先間スパンよりも大きい請求項１５又は請求項１６記載の安全カミソリ
【請求項１８】
ガード部と、天板と、これらのガード部と天板との間に配置されガード部に近い方から順に刃先が後退する少なくとも２枚の刃を有し、各刃の間にスペーサーが配置され、天板に最も近い刃とその前方隣合わせの刃の間に配置されたスペーサーの後部は刃台の後端面よりも突出して下方に折り曲げられており、且つそのスペーサーの少なくとも折り曲げられた後部の表面部分は刃台の色と異なる色に着色されていることを特徴とする安全カミソリ
【発明の詳細な説明】
【技術分野】
【０００１】
本発明は一般大衆が使用する安全カミソリに関する。
【背景技術】
【０００２】
少なくとも４つの刃の各々が後部に配置された刃で露出値が大きくなるように配置された安全カミソリは存在している（例えば、特許文献１参照。）。
また、３つの刃を有する安全カミソリで下刃の露出値又は個別露出値が上刃よりも大きいもの、あるいは刃厚の異なるものが存在している（例えば、特許文献２、特許文献３、特許文献４参照。）。
【特許文献１】特開２００３−６２３６９号公報
【特許文献２】特許第３２１３２３７号公報
【特許文献３】特許第３２１３６９２号公報
【特許文献４】特許第３２１３６９３号公報
【発明の開示】
【発明が解決しようとする課題】
【０００３】
現在、３枚の刃を有する安全カミソリは一般に広く普及し、３枚刃安全カミソリに関する特許文献が存在する。その特許文献の中には露出値など安全カミソリの刃についての数値に関するものが存在する。安全カミソリを使用する際の剃り味はこの数値が重要な要素となるからである。しかし、４枚の刃を有する安全カミソリはここ２，３年の間に登場したばかりで研究も十分に重ねられたとは言えず、開発途上である。したがって、例えば刃の露出値について４枚刃安全カミソリはどのような数値が最適であるか十分に解明されたとは言えない状態である。３枚刃安全カミソリの技術をそのまま４枚刃に利用することで、剃り味などの優れた安全カミソリを得ることができる場合もあると考えられるし、それとは別に４枚刃独自の数値が存在することも十分に考えられる。そこで本発明は、３枚以上の刃を有する安全カミソリであって優れた剃り味が長持ちし、ほとんど剃り残しがなく取扱い易い安全カミソリを提供することを目的とする。
【０００４】
また、３枚以上の刃を有する安全カミソリは各刃の間にスペーサーが配置されている。スペーサーは使用中に各刃の間に侵入するヒゲかすを円滑に排出することを目的とするものである。そこで本発明は、このスペーサーを他の目的にも対応できるように改良して取扱い易い安全カミソリを提供することを目的とする。
【課題を解決するための手段】
【０００５】
本発明の請求項１は、３枚以上の刃を有し、ガード部と天板を結ぶ共通接線から測定した刃先までの垂直距離を刃の露出値としたときに、隣合う２枚の刃でガード部に近い方の刃の露出値がその後方の刃の露出値よりも大であり、前記ガード部に近い方の刃よりも前方に少なくとも１枚の刃が存在し、前記ガード部に近い方の刃及びその刃よりも前方に存在するすべての刃を含めた一群の刃の露出値は、前方の刃よりもその後方の刃の露出値の方が大である構成である。請求項２は、天板に最も近い刃以外の刃が前記一群の刃である要素が請求項１に限定的に付加された構成である。
【０００６】
請求項３は、ガード部に近い方から順に刃先が後退する第1、第２、第３及び第４の刃を有し、第１及び第４の刃の露出値は負の値であり、第３の刃の露出値は正の値であり、第２の刃の露出値は第１の刃の露出値よりも大で第３の刃の露出値よりも小である要素が請求項１又は請求項２に限定的に付加された構成である。請求項４は、第２の刃の露出値が負の値である要素が請求項３に限定的に付加された構成であり、請求項５は、少なくとも第１の刃と第２の刃の露出値が負であるときに、負の値を有する刃の露出値は、第１の刃が最小で第２の刃が最大である要素が請求項４に限定的に付加された構成である。請求項６は、各刃の露出値が、第１の刃は−０．０９ｍｍ、第２の刃は−０．０１ｍｍ、第３の刃は＋０．０３ｍｍであり、第４の刃は−０．０４ｍｍである要素が請求項４又は請求項５に限定的に付加された構成である。
【０００７】
請求項７は、ガード部と、天板と、これらのガード部と天板との間に配置されガード部に近い方から順に刃先が後退する第1、第２、第３及び第４の刃を有し、測定する刃先の前方及び後方に隣合う部材の各皮膚接触面を結ぶ共通接線から測定した刃先までの垂直距離を刃の個別条件における露出値である個別露出値としたときに、第１及び第４の刃の個別露出値は負の値であり、第３の刃の個別露出値は正の値であり、第２の刃の個別露出値は第１の刃の個別露出値よりも大で第３の刃の個別露出値よりも小である構成である。
【０００８】
請求項８は、第２の刃の個別露出値がゼロである要素が請求項７に限定的に付加された構成であり、請求項９は、第１の刃の個別露出値が第４の刃の個別露出値よりも小である要素が請求項７又は請求項８に限定的に付加された構成である。請求項１０は、各刃の個別露出値が、第１の刃は−０．０８ｍｍ、第２の刃はゼロ、第３の刃は＋０．０６ｍｍであり、第４の刃は−０．０５ｍｍである要素が請求項８又は請求項９に限定的に付加された構成である。
【０００９】
請求項１１は、ガード部と、天板と、これらのガード部と天板との間に配置されガード部に近い方から順に刃先が後退する少なくとも３枚の刃を有し、全部の刃の枚数が偶数であるときは天板寄りの半数の刃、又は全部の刃の枚数が奇数であるときは中央の刃よりも天板寄りの刃、の中のいずれか１枚が他のすべての刃よりも刃厚が小さく形成され、且つ前記他のすべての刃の刃厚はすべて等しい構成である。請求項１２は、刃厚が最も小さい刃の刃厚は０．０８ｍｍであり、他の刃の刃厚は０．１ｍｍである要素が請求項１１に限定的に付加された構成であり、請求項１３は、ガード部に近い方から順に刃先が後退する第1、第２、第３及び第４の刃を有し、第４の刃厚が他の刃厚よりも小さい要素が請求項１１又は請求項１２に限定的に付加された構成である。
【００１０】
請求項１４は、ガード部と、天板と、これらのガード部と天板との間に配置されガード部に近い方から順に刃先が後退する少なくとも３枚の刃を有し、各刃は重ねられていて各刃の間にスペーサーが配置され、天板に最も近い刃とその前方隣合わせの刃の間のスペーサーは櫛状に形成され、この櫛状スペーサーの櫛歯の先端が天板に最も近い刃の刃先よりも前方であって、その刃の前方隣合わせの刃の刃先よりも後方の位置まで突出している構成である。
【００１１】
請求項１５は、前記櫛状スペーサーの櫛歯の先端部分の上面が、櫛歯の先端に行くに従って徐々に下降する傾斜面に形成されている要素が請求項１４に限定的に付加された構成であり、請求項１６は、前記櫛状スペーサーの少なくとも天板に最も近い刃の刃先から突出した部分の表面が抗菌剤を含む塗膜で覆われている要素が請求項１４又は請求項１５に限定的に付加された構成である。請求項１７は、天板に最も近い刃とその前方隣合わせの刃の刃先間スパンが他の刃先間スパンよりも大きい要素が請求項１５又は請求項１６に限定的に付加された構成である。
【００１２】
請求項１８は、ガード部と、天板と、これらのガード部と天板との間に配置されガード部に近い方から順に刃先が後退する少なくとも２枚の刃を有し、各刃の間にスペーサーが配置され、天板に最も近い刃とその前方隣合わせの刃の間に配置されたスペーサーの後部は刃台の後端面よりも突出して下方に折り曲げられており、且つそのスペーサーの少なくとも折り曲げられた後部の表面部分が刃台の色と異なる色に着色されている構成である。
【発明の効果】
【００１３】
請求項１は、３枚以上の刃を有し、隣合う２枚の刃でガード部に近い方の刃の露出値がその後方の刃の露出値よりも大であり、前記ガード部に近い方の刃よりも前方に少なくとも１枚の刃が存在し、前記ガード部に近い方の刃及びその刃よりも前方に存在するすべての刃を含めた一群の刃の露出値は、前方の刃よりもその後方の刃の露出値の方が大である構成である。したがって、ある刃及びその前方に存在する一群の刃の露出値につき、後方の刃に行くに従って露出値が大きくなるので、前方の刃の剃り残したヒゲを露出値の大きな後方の刃が剃るので剃り残しを防止できる。また、前記ある刃の露出値よりもその後方隣合わせの刃の露出値が小であるから、髭剃り時にその後方隣合わせの刃先にかかるヒゲからの負担は少なくなる。したがって、他の刃に比較して切れ味が落ちないので他の刃の剃り残しを確実に剃ることができる。請求項２は、天板に最も近い刃以外の刃が前記一群の刃である。したがって、髭剃り中に順次ヒゲに当たる最後の刃のみがその前方隣合わせの刃の露出値よりも小であるから、刃先にかかるヒゲからの負担は最も少なくなり仕上げの刃としての切れ味が長持ちする。
【００１４】
請求項３は、ガード部に近い方から順に刃先が後退する第1、第２、第３及び第４の刃を有し、第１及び第４の刃の露出値は負の値であり、第３の刃の露出値は正の値であり、第２の刃の露出値は第１の刃の露出値よりも大で第３の刃の露出値よりも小である。４枚の刃を有することは４つの刃先でヒゲを剃ることになるから、それぞれの刃先同士が他の刃先を補完してヒゲからの負担を軽くし、優れた切れ味を長持ちさせることが望ましい。第１の刃の露出値が負で第２の刃の露出値が第３の刃の露出値よりも小であるから、第１及び第２の刃はヒゲからの負担が大きくない状態でヒゲ剃りが行われ、多くのヒゲが剃られた後で露出値が正の値である第３の刃がヒゲを剃る。第３の刃の露出値は正であるからヒゲを確実に剃ることができ、第３の刃よりも前に第１の刃と第２の刃で多くのヒゲが剃られているので、第３の刃のヒゲからの負担は大きくない。その後で第４の刃によって仕上げられる。したがって、各刃の刃先の負担を軽くしながら切れ味の良いヒゲ剃りを長い間保持することができる。
【００１５】
請求項４は、第２の刃の露出値が負の値であるから、第２の刃のヒゲからの負担が特に大きくなることがない。請求項５は、負の値を有する刃の露出値は、第１の刃が最小で第２の刃が最大である。第１の刃は最初にヒゲに当たるので最も負担を受ける刃であり、その露出値を負で最小とすることにより第１の刃の切れ味が短期間で落ちることを防止できる。また、第２の刃の露出値が負で最大であるから、第１の刃で剃り残したヒゲの多くを剃るのである。請求項６は、各刃の露出値が、第１の刃は−０．０９ｍｍ、第２の刃は−０．０１ｍｍ、第３の刃は＋０．０３ｍｍであり、第４の刃は−０．０４ｍｍであり、優れた剃り味が長持ちし剃り残しを効果的に防止できる。
【００１６】
請求項７は、ガード部と、天板と、これらのガード部と天板との間に配置されガード部に近い方から順に刃先が後退する第1、第２、第３及び第４の刃を有し、測定する刃先の前方及び後方に隣合う部材の各皮膚接触面を結ぶ共通接線から測定した刃先までの垂直距離を刃の個別条件における露出値である個別露出値としたときに、第１及び第４の刃の個別露出値は負の値であり、第３の刃の個別露出値は正の値であり、第２の刃の個別露出値は第１の刃の個別露出値よりも大で第３の刃の個別露出値よりも小である構成である。本項は請求項３に対して露出値の定義が異なっているが、基本的には共通した構成である。露出値を本項のように定義して個別露出値としても請求項３と根本的に異なるものでなく、本項も請求項３と同様の効果を奏する。
【００１７】
請求項８は、第２の刃の個別露出値がゼロである。したがって、第２の刃は第１の刃の剃り残しを剃り、第３の刃の露出値が正の値であっても第２の刃の個別露出値がゼロであるから、第３の刃にヒゲからの過度な負担を与えることがない。
請求項９は、第１の刃の個別露出値が第４の刃の個別露出値よりも小である。したがって、第４の刃によってヒゲ剃りの最後の仕上げが確実に行われる。請求項１０は、各刃の個別露出値が、第１の刃は−０．０８ｍｍ、第２の刃はゼロ、第３の刃は＋０．０６ｍｍであり、第４の刃は−０．０５ｍｍであり、優れた剃り味が長持ちし剃り残しを効果的に防止できる。
【００１８】
請求項１１は、ガード部と、天板と、これらのガード部と天板との間に配置されガード部に近い方から順に刃先が後退する少なくとも３枚の刃を有し、全部の刃の枚数が偶数であるときは天板寄りの半数の刃、又は全部の刃の枚数が奇数であるときは中央の刃よりも天板寄りの刃、の中のいずれか１枚が他のすべての刃よりも刃厚が小さく形成され、且つ前記他のすべての刃の刃厚はすべて等しい構成である。刃は刃厚を小さくした方が切断の際の開口幅が狭いので切れ味が良い。しかし、刃厚を小さくすると強度が弱くなる。本項では、厚みの小さな刃は順に並んだ刃の中央よりも後方にあってヒゲからの負担が比較的小さいので、刃の強度が他の刃より小さくてもひげ剃り中に刃がたわむなどの虞がない。そして、鋭利な刃を１枚入れることにより切れ味を良くすることができる。請求項１２は、その刃厚の最も小さい刃の刃厚は０．０８ｍｍであり、他の刃の刃厚は０．１ｍｍである。これによって切れ味が良く、厚みの薄い刃がヒゲ剃り中にたわむ虞のない安全カミソリとすることができる。請求項１３は、ガード部に近い方から順に刃先が後退する第1、第２、第３及び第４の刃を有し、第４の刃厚が他の刃厚よりも小さい。ヒゲ剃りの仕上げをなす第４の刃の刃厚が小さいので最後に残ったヒゲを効果的に切断できる。
【００１９】
請求項１４は、ガード部と、天板と、これらのガード部と天板との間に配置されガード部に近い方から順に刃先が後退する少なくとも３枚の刃を有し、各刃は重ねられていて各刃の間にスペーサーが配置され、天板に最も近い刃とその前方隣合わせの刃の間のスペーサーは櫛状に形成され、この櫛状スペーサーの櫛歯の先端が天板に最も近い刃の刃先よりも前方であって、その刃の前方隣合わせの刃の刃先よりも後方の位置まで突出している。したがって、その櫛歯の上下にある刃が使用中にたわむことを防止する。
【００２０】
請求項１５は、前記櫛状スペーサーの櫛歯の先端部分の上面が、櫛歯の先端に行くに従って徐々に下降する傾斜面に形成されているので、ヒゲ剃り中に櫛歯が皮膚に当たらず皮膚を傷つけることがない。請求項１６は、櫛状スペーサーの少なくとも天板に最も近い刃の刃先から突出した部分の表面が抗菌剤を含む塗膜で覆われているので、常に清潔な状態で使用することができる。また、抗菌剤が使用中に溶け出す性質のものであるときは、カミソリ負けの炎症防止作用をなす。請求項１７は、天板に最も近い刃とその前方隣合わせの刃の刃先間スパンが他の刃先間スパンよりも大きい構成である。前述したように櫛歯の先端部分が天板に最も近い刃の刃先から突出するように構成したときに、刃先間スパンが狭いと櫛歯の先端部分が刃先間スパン線よりも突出して皮膚に当たるのであるが、櫛歯の刃先に対する突出度は同じのままスパンを大きくすれば櫛歯先端部分がその大きな刃先間スパン線よりも後退するので使用中に皮膚に当たることを確実に防止できる。
【００２１】
請求項１８は、ガード部と、天板と、これらのガード部と天板との間に配置されガード部に近い方から順に刃先が後退する少なくとも２枚の刃を有し、各刃の間にスペーサーが配置され、天板に最も近い刃とその前方隣合わせの刃の間に配置されたスペーサーの後部は刃台の後端面よりも突出して下方に折り曲げられており、且つそのスペーサーの少なくとも折り曲げられた後部の表面部分が刃台の色と異なる色に着色されている。替刃を替刃ケースに収納するときは刃台底面が上を向くように、そして、替刃の前端よりも後端の方がやや高くなるように斜めの状態で収納される。したがって、替刃ケースに収納されている替刃を上から見たときに、替刃の後端面が目視できる。このことは、前記スペーサーの下方に折り曲げられた端部表面に着色された色を目視できることになる。これにより、収納されている替刃の前後が判別できるので、収納されている替刃を収納されたままの状態でホルダーに取付けるときに、替刃の前後を誤ることがない。
【発明を実施するための最良の形態】
【００２２】
実施の形態は、４枚の刃を有する替刃に関する。刃がホルダーと一体的に取り付けられている安全カミソリであってもよいことは勿論である。替刃は、ガード部１０に近い方から順に刃先が後退する第１の刃１と、第２の刃２と、第３の刃３と、第４の刃４とを有している。４枚の刃１，２，３，４は刃台２０と天板２１との間に挟着されており、各刃の間には第１スペーサー６、第２スペーサー７、第３スペーサー８が介在している。天板２１の下面に設けられたピン９が各刃及び各スペーサーの挿通部を通って刃台２０の下面まで延び、ピン９の先端を潰すことによって刃台２０と天板２１は結合されている。
【００２３】
図１に示すように、各スペーサー６，７，８の後部は刃台の後端面１２よりも突出してそれぞれ下方に垂直に折り曲げられている。図３は第３スペーサー８の後部を折り曲げる前の状態の平面図と側面図であり、平面図から折り曲げる前の第３スペーサー８の平面形状が櫛状であることが示されている。他の第１スペーサー６及び第２スペーサー７の平面形状も第３スペーサー８とは少し異なっているが櫛状である。各スペーサー６，７，８が櫛状であって後部が折り曲げられている理由は、その部分の櫛歯１３を折り曲げることによって櫛歯１３、１３の間の空間部を替刃の後端から抜けるようにして、各櫛歯１３，１３の間に溜まったヒゲかすを替刃の後端から外部に排出可能にするためである。なお、各櫛歯１３に設けられた丸孔は挿通部１４であって、ピン９を挿通するためのものである。
【００２４】
図３に示す第３スペーサー８はアルミニウムを材料として形成され、表面に塗膜が形成されている。塗膜は２層から成り、アルミニウムと接する層は熱硬化性エポキシ樹脂で形成されており厚みはほぼ２μｍであるがそれ以上であってもよい。表面の層は抗菌剤を含む熱硬化性ポリエステル樹脂で形成されており厚みはほぼ１８μｍ以上で６０μｍ以下程度が好ましい。抗菌剤としては例えばヒノキチオールが用いられる。またこの表面の層は黄色に着色されている。着色は黄色でなくてもよく、刃台２０と異なる色であればよい。例えば、刃台２０が黒のときは黄色のほかに緑色や青色などでもよい。
【００２５】
図３の第３スペーサー８の側面図に示したように、各櫛歯１３の先端部分の上面は櫛歯の先端に行くに従って徐々に下降する傾斜面１５が形成されている。傾斜面１５は前述した塗膜を設けた後でプレスによって形成されるので、傾斜面１５の表面にも塗膜が存在する。塗膜は第３スペーサー８の少なくとも傾斜面１５に設けられていればよく、第３スペーサー８の両面でもよく上面のみでもよい。着色は第３スペーサー８の後部の折り曲げた部分の表面にされていればよいが、第３スペーサー８の両面又は上面の全体でもよい。図１及び図２に示すように、第３スペーサーの櫛歯の先端は、第４の刃の刃先よりも前方であって第３の刃の刃先よりも後方の位置まで突出している。したがって、傾斜面１５は第３の刃３の刃先と第４の刃４の刃先の間に露出している。傾斜面１５の露出面積を大きくするために第３の刃と第４の刃の刃先間スパンＳはほぼ１．３２ｍｍであり、他の刃の刃先間スパンよりも大きい。これにより、塗膜に含まれた抗菌剤によって抗菌作用がなされる。抗菌剤を含む塗膜を設けずに、スペーサーを抗菌作用のある材料で形成したり、抗菌剤を含むプラスチックでスペーサー全体を形成してもよい。また、櫛歯の先端部分にスムーザーを設けてもよい。スムーザーはポリエチレンオキサイドとポリプロピレンやポリスチレンの混合物に、ビタミンＥ、アロエ成分、植物エキス、ヒゲ軟化剤などを混ぜたものを使用することが好ましい。またスムーザーは石けんであってもよい。このスムーザーは仕上げ剃りを行う刃の直前に、仕上げ剃り補助機能を備えたものであると言える。なお、スムーザーはこれ以外に設けられており、図２中符号１６は先導スムーザーであり、符号１７，１７はサイドスムーザーであり、符号１８は後続スムーザーである。また、符号１９は凹部であって使用時に溶け出したスムーザーを溜めておくためのものである。これらのスムーザーを設けることは任意である。
【００２６】
前述したように、第３スペーサー８の後部の折り曲げた部分の表面は刃台２０と異なる色で着色されている。図４は替刃５を替刃ケース２２の収納部２３に収納した状態を示している。図から明らかなように替刃５は上下を逆にして収納され、且つ替刃の後端面２４の方が浮き上がるように斜めの状態で収納されている。したがって、収納されている替刃５を上から見たときに替刃の後端面２４が見えるのである。前述したように第３スペーサー８の折り曲げた部分の表面は着色されているから、収納されている替刃５を上から見たときにこの着色が目視できるのである。これにより、替刃５の前後が一目瞭然となる。収納されている替刃５をカミソリホルダーに取り付けるときは、ホルダー先端の替刃取付け装置を替刃５の底面に宛がって替刃を結合し収納部２３から替刃５を引き上げるのである。そのときに、ホルダーに対する替刃の前後関係が整合していないと替刃を取り付けることができないから、替刃の前後が一目瞭然であることは替刃の前後を誤ることがなく使用者にとって非常に取扱い易いのである。
【００２７】
次に、請求項１から請求項６に記載の本発明の実施の形態について説明する。この実施の形態における露出値は、天板２１とガード部１０の表面を結ぶ共通接線１１から測定した刃先までの垂直距離として定義される。図１は４枚の刃を有する替刃を示しており、第１の刃の露出値Ａは負の値であって−０．０９ｍｍであり、第２の刃の露出値Ｂも負の値であって−０．０１ｍｍである。第３の刃の露出値Ｃは正の値であって＋０．０３ｍｍであり、第４の刃の露出値Ｄは負の値であって−０．０４ｍｍである。すなわち、隣合う第３の刃と第４の刃の露出値の関係は、Ｃ＞Ｄ、であり、第１の刃から第３の刃までの露出値の関係は、Ａ＜Ｂ＜Ｃ、である。ただし、本発明がこれらの数値や刃の組み合わせに限定されないことは勿論である。第２の刃の露出値Ｂは負であるが正でもよくゼロでもよい。また、すべての刃の露出値がゼロ以上の値であってもよく負の値であってもよい。露出値Ａのみが負の値で他の露出値は正の値でもよい。露出値Ａと露出値Ｄが負の値で露出値Ｂと露出値Ｃが正の値でもよい。第１の刃の露出値Ａと第２の刃の露出値Ｂが負のときに、負の値を有する他の露出値があるときはそれも含めて、第１の刃の露出値Ａが最小で第２の刃の露出値Ｂが最大であるが、本発明がこれに限定されないことは勿論である。なお、露出値が負の値であるときは、露出値の絶対値が大きい方よりも絶対値が小さい方を露出値が大きいと定義する。
【００２８】
次に、請求項７から請求項１０に記載の本発明の実施の形態について説明する。この実施の形態における個別露出値は、測定する刃先の前方及び後方に隣合う部材の各皮膚接触面を結ぶ共通接線から測定した刃先までの垂直距離であると定義される。図５に示すように、第１の刃１の個別露出値Ｅは、ガード部１０の表面と第２の刃２の刃先を結ぶ共通接線から第１の刃１の刃先までの垂直距離であって−０．０８ｍｍである。第２の刃２の個別露出値Ｆは、第１の刃１の刃先と第３の刃３の刃先を結ぶ共通接線から第２の刃２の刃先までの垂直距離であってゼロである。第３の刃３の個別露出値Ｇは、第２の刃２の刃先と第４の刃４の刃先を結ぶ共通接線から第３の刃３の刃先までの垂直距離であって＋０．０６ｍｍである。第４の刃４の個別露出値Ｈは、第３の刃３の刃先と天板２１の表面を結ぶ共通接線から第４の刃４の刃先までの垂直距離であって−０．０５ｍｍである。ただし、本発明がこれらの数値に限定されないことは勿論である。すなわち、第１の刃１の個別露出値Ｅと第４の刃４の個別露出値Ｈは負の値であり、第３の刃３の個別露出値Ｇは正の値である。第２の刃２の個別露出値Ｆは第１の刃１の個別露出値Ｅよりも大であって、負の値、ゼロあるいは正の値のいずれでもよいが、第３の刃３の個別露出値Ｇよりも小である。第１の刃１の個別露出値Ｅは第４の刃４の個別露出値Ｈよりも小に構成されているが、この構成に限定されるものでない。
【００２９】
さらに図５に示すとおり、第１の刃１、第２の刃２及び第３の刃３の刃厚はすべて等しく、第４の刃４の刃厚はそれらよりも小さく形成されている。刃厚が小さい刃はこれに限定されるものでなく、並べられた全部の刃の中央よりも天板寄りにある刃のいずれか１枚の刃であればよい。刃厚が小さい方の刃の刃厚は０．０８ｍｍであるが０．０５ｍｍ〜０．２５ｍｍ程度のものであればよい。刃厚が大きい方の刃の刃厚は０．１ｍｍであるが０．０９ｍｍ〜０．５ｍｍのものであればよい。ただし、刃厚がこの数値に限定されるものではない。
【図面の簡単な説明】
【００３０】
【図１】本発明の断面図
【図２】本発明の斜視図
【図３】第３スペーサーの平面図及び側面図
【図４】替刃を替刃ケースに収納した状態を示す断面図
【図５】替刃の前部の一部拡大断面図
【符号の説明】
【００３１】
１  第１の刃
２  第２の刃
３  第３の刃
４  第４の刃
５  替刃
６  第１スペーサー
７  第２スペーサー
８  第３スペーサー
９  ピン
１０  ガード部
１１  共通接線
１２  刃台の後端面
１３  櫛歯
１４  挿通部
１５  傾斜面
１６  先導スムーザー
１７  サイドスムーザー
１８  後続スムーザー
１９  凹部
２０  刃台
２１  天板
２２  替刃ケース
２３  収納部
２４  替刃の後端面
【図１】
2005261544.tif 000003
【図２】
2005261544.tif 000004
【図３】
2005261544.tif 000005
【図４】
2005261544.tif 000006
【図５】
2005261544.tif 000007